(57)【特許請求の範囲】
【請求項１】
空気吹出口を有する前面板と空気吸込口を有する背面板と左側面板と右側面板と天面板と底面板を有する室内機筐体と、前記室内機筐体の内部の前記空気吸込口と前記空気吹出口の間に配置された熱交換器とファン装置を備え、
前記熱交換器は前記空気吸込口に面して配置され、
前記前面板、前記背面板、前記左側面板、および前記右側面板と前記天面板との間の隙間を閉塞する第１のシール部材と、
前記熱交換器の天面と前記天面板との間に配置され、前記熱交換器の天面と前記天面板の間を経由して前記空気吸込口と前記室内機筐体内部を結ぶ空気通路を遮断する第２のシール部材と第３のシール部材を備え、
前記第２のシール部材は、前記熱交換器の前記天面の一端部と他端部の間の長さに対応した長さを有し前記熱交換器の前記一端部を起点として前記他端部に向かって配置され、
前記第３のシール部材は、前記熱交換器の前記他端部を起点として前記一端部に向かって前記第２のシール部材に接するよう配置されることを特徴とする外気処理型空気調和機。
【請求項２】
請求項１に記載の外気処理型空気調和機において、
前記第３のシール部材は、前記背面板の裏面に貼付されていることを特徴とする外気処理型空気調和機。
【請求項３】
請求項１又は２に記載の外気処理型空気調和機において、
前記前面板、前記背面板、前記左側面板、および前記右側面板の上端にそれぞれ前記室内機筐体の内部方向に曲折したフランジが形成され、前記第１のシール部材は、前記天面板の内側周縁と前記それぞれのフランジとの間に介在していることを特徴とする外気処理型空気調和機。
【請求項４】
請求項１、２又は３に記載の外気処理型空気調和機において、
前記第２のシール部材は、前記熱交換器の天面において、前記右側面板の側の端部と前記左側面板の側の端部のうちの一方の端部から他方の端部に向けて貼付されていることを特徴とする外気処理型空気調和機。
【発明の詳細な説明】
【技術分野】
【０００１】
本発明は、ファン装置により空気吸込口から外気を吸い込みその外気を冷媒と熱交換して空気吹出口から室内に吹き出す室内機を備えた外気処理型空気調和機に関する。
【背景技術】
【０００２】
外気処理型空気調和機の室内機は、冷房運転時に室内空気より温度と相対湿度が高い外気を吸い込むことがあり、その場合、従来の室内機より結露が生じ易くなるので、結露対策が必要となる。
【０００３】
一般の空気調和機の室内機は、例えば、ファン装置や熱交換器が配置される送風室と電装品箱とを１個の筐体内に設ける場合に、電装品箱の露付防止対策として、その送風室と電装品箱との間を、特別に設けられた仕切板によって分離遮断している（特許文献１）。なお、その筐体については、特別な露付防止対策は採られていない。
【先行技術文献】
【特許文献】
【０００４】
【特許文献１】特開２０１２−１２７５３２号公報
【発明の概要】
【発明が解決しようとする課題】
【０００５】
一方、外気処理型空気調和機の室内機は、室内機の筐体を構成する部品のバラツキやその部品の組立の作業バラツキによってその部品の相互間に隙間が発生すると、その隙間から室内機筐体内に外気が直接侵入する。そして、冷房運転時に、この外気が室内空気より温度と相対湿度が高いときには、室内機の筐体内において結露による露飛び等が発生する。以上から、外気処理型空気調和機の室内機は特別な露付防止対策を採用する必要がある。
【０００６】
本発明の目的は、外気が筐体の内部に侵入することを抑制できるようにして、冷房運転時に良好な露付防止対策を実現した外気処理型空気調和機を提供することである。
【課題を解決するための手段】
【０００７】
上記目的を達成するために、請求項１にかかる発明は、空気吹出口を有する前面板と空気吸込口を有する背面板と左側面板と右側面板と天面板と底面板を有する室内機筐体と、前記室内機筐体の内部の前記空気吸込口と前記空気吹出口の間に配置された熱交換器とファン装置を備え、前記熱交換器は前記空気吸込口に面して配置され、前記前面板、前記背面板、前記左側面板、および前記右側面板と前記天面板との間の隙間を閉塞する第１のシール部材と、前記熱交換器の天面と前記天面板との間に配置され、前記熱交換器の天面と前記天面板の間を経由して前記空気吸込口と前記室内機筐体内部を結ぶ空気通路を遮断する第２のシール部材と第３のシール部材を備え、前記第２のシール部材は、前記熱交換器の前記天面の一端部と他端部の間の長さに対応した長さを有し前記熱交換器の前記一端部を起点として前記他端部に向かって配置され、前記第３のシール部材は、前記熱交換器の前記他端部を起点として前記一端部に向かって前記第２のシール部材に接するよう配置されることを特徴とする。
【０００８】
請求項２にかかる発明は、請求項１に記載の外気処理型空気調和機において、前記第３のシール部材は、前記背面板の裏面に貼付されていることを特徴とする。
【０００９】
請求項３にかかる発明は、請求項１又は２に記載の外気処理型空気調和機において、前記前面板、前記背面板、前記左側面板、および前記右側面板の上端にそれぞれ前記室内機筐体の内部方向に曲折したフランジが形成され、前記第１のシール部材は、前記天面板の内側周縁と前記それぞれのフランジとの間に介在していることを特徴とする。
【００１０】
請求項４にかかる発明は、請求項１、２又は３に記載の外気処理型空気調和機において、前記第２のシール部材は、前記熱交換器の天面において、前記右側面板の側の端部と前記左側面板の側の端部のうちの一方の端部から他方の端部に向けて貼付されていることを特徴とする。
【発明の効果】
【００１１】
本発明によれば、第１のシール部材による隙間の閉塞および第２のシール部材による空気通路の遮断によって室内機筐体内部への外気の侵入を防ぐとき、第２のシール部材の長さのバラツキにより前記空気通路の内に残る隙間を第３のシール部材で閉塞するので、冷房運転時に室内機筐体の内部について良好な露付防止対策を実現できる。
【図面の簡単な説明】
【００１２】
【図１】外気処理型空気調和機の室内機の一部分解斜視図である。
【図２】外気処理型空気調和機の室内機の天面板を取り外した状態の斜視図である。
【図３】本発明の実施例の第１のシール部材を貼付した天面板の裏面図である。
【図４】本発明の実施例の第１のシール部材の説明図である。
【図５】本発明の実施例の第２および第３のシール部材の説明図である。
【図６】本発明の実施例の第２および第３のシール部材による外気侵入遮断の説明図である。
【図７】本発明の第３のシール部材がない場合の外気侵入の説明図である。
【発明を実施するための形態】
【００１３】
図１、図２に本発明の実施例の外気処理型空気調和機の室内機の構成を示す。１０は前面板であり、上端に室内機の筐体１００の内側に折れ曲がるフランジ１１が形成され、２個の空気吹出口１２が設けられ、外側に吹出ダクト取付枠１３が設けられている。２０は背面板であり、上端に室内機の筐体１００の内側に折れ曲がるフランジ２１が形成され、１個の空気吸込口２２が設けられ、外側に吸込ダクト取付枠２３が設けらている。３０は上端に室内機の筐体１００の内側に折れ曲がるフランジ３１が形成された左側面板である。４０は上端に室内機の筐体１００の内側に折れ曲がるフランジ４１が形成された右側面板である。５０は全周に下方向に立ち下がるフランジ５１が形成された天面板である。６０は全周に上方向に立ち上がるフランジ６１が形成された底面板である。室内機の筐体１００は、これら前面板１０と背面板２０と左側面板３０と右側面板４０と天面板５０と底面板６０によって６面が構成された直方体形状である。７０は右側面板４０の外面に取り付けられた密封型の直方体形状の電装品箱である。
【００１４】
これら、筐体１００の空気吸込口２２と空気吹出口１２を結ぶ空気通路内に、熱交換器８０と２個のファン装置９０とが配置されている。すなわち、熱交換器８０は背面板２０の空気吸込口２２の内側にその空気吸込口２２を塞ぐように配置され、２個のファン装置９０は前面板１０の２個の空気吹出口１２の内側にそれぞれ配置されている。
【００１５】
そして、天面板５０のフランジ５１の内側の周縁を含む裏面５２には、図３に示すように、所定の厚みの弾性を有する第１のシール部材１１０が貼付されている。よって、この天面板５０を、フランジ５１が下向きとなるように、前面板１０、背面板２０、左側面板３０、および右側面板４０の上から被せたときは、例えば、前面板１０の上面のフランジ１１と天板板５０との間では、図４に示すように、その第１のシール部材１１０がそのフランジ１１の上面に当接して圧縮される。他の背面板２０、左側面板３０、および右側面板４０の上面のフランジ２１，３１，４１と天面板５０との間でも、第１のシール部材１１０が同様に圧縮される。
【００１６】
このため、前面板１０、背面板２０、左側面板３０、および右側面板４０と天面板５０との間に生じる隙間Ｇ１（図４は天面板５０を被せる前の図であるが、天面板５０と前面板１０の間に生じる可能性のある隙間Ｇ１を示した）は完全に閉塞されるので、天面板５０の周縁から外気が室内機の筐体１００の中に侵入することはない。
【００１７】
ところで、背面板２０の空気吸込口２２は、筐体の内側に配置される熱交換器８０によってそのほぼ全面が塞がれるが、その熱交換器８０には、熱交換器８０のフィンの保護その他の理由により空気吸込口２２の上側内端を完全には閉じない大きさのものが用いられる。このため、その熱交換器８０を底面板６０の上に搭載したとき、空気吸込口２２から熱交換器８０の天面８１の部分を経由する隙間Ｇ２が生じる。つまり空気吸込口２２と熱交換器８０の天面８１との間に、筐体１００の内部に通じる隙間Ｇ２が発生する。
【００１８】
そこで、本実施例では、その熱交換器８０の天面８１の部分に、左側面板３０の側から右側面板４０の側の方向にかけて、弾性を有する長尺の第２のシール部材１２０を直接貼付する。これにより、天面板５０で熱交換器８０の天面８１の上方を閉じたときに、その第２のシール部材１２０がその天面板５０で圧縮され、その第２のシール部材１２０によって、空気吸込口２２から熱交換器８０の天面８１の部分を経由して筐体１００の内部に通じる隙間Ｇ２が閉塞される。
【００１９】
この第２のシール部材１２０の貼付作業は、熱交換器８０の天面８１における引出冷媒配管８２の側（右側面板４０の側）の端部に、その第２のシール部材１２０の一方の端を揃えてから、残りの部分を冷媒配管８２と反対側の冷媒配管８３の側（左側面板３０の側）の方向に伸ばして貼付される。
【００２０】
ところが、この第２のシール部材１２０は弾性を有することから伸縮するので、貼付長さにバラツキが発生し易い。例えば、図７に示すように、その第２のシール部材１２０が、熱交換器８０の冷媒配管８３の側において、長さＴ１だけ短く熱交換器８０の天面８１に貼付される場合がある。この場合は、その第２のシール部材１２０と背面板２０の裏面と天面板５０の下面との間に、空気吸込口２２から筐体１００の内部に通じる隙間Ｇ３が発生する。つまり、空気吸込口２２から筐体１００の内部に通じる空気吸込口２２と熱交換器８０の天面８１と天面板５０との間の隙間Ｇ２が完全には閉塞されず、隙間Ｇ３が残る。
【００２１】
このため、ファン装置９０によって背面板２０の空気吸込口２２から吸い込まれた外気が、その隙間Ｇ３を経由して室内機の筐体１００の内部に侵入する。これにより、冷房運転時に外気に含まれる水分によって室内機の筐体１００の内部で結露が発生する恐れがある。
【００２２】
８４ａ，８４ｂはその第２のシール部材１２０の端部を右側板３０の側において圧縮状態でガイドするためのガイド爪であり、熱交換器８０の折返し冷媒配管８３の側の熱交換器側板８４から上方に延長し室内機内側に曲折して設けられている。２個のガイド爪８４ａ，８４ｂが設けられているのは、第２のシール部材１２０を熱交換器８０の天面８１に貼付する際に、その第２のシール部材１２０が前面板１０の方向又は背面板２０の方向にずれたとき、少なくとも何れか一方でガイドできるようにするためである。図７に示したように、第２のシール部材１２０が長さＴ１だけ短かく貼付され隙間Ｇ３が残るようなときは、第２のシール部材１２０はいずれのガイド爪８４ａ，８４ｂにも届いていない。
【００２３】
そこで本実施例では、図５、図６に示すように、前記した隙間Ｇ３に位置するように且つガイド部材８４ｂで圧縮状態でガイドされるように、背面板２０の裏面２４に対して、第３のシール部材１３０を貼付した。より詳しくは、この第３のシール部材１３０は、貼付される背面板２０の裏面２４と反対側が第２のシール部材１２０の側面１２０ａを押圧し、上面が天面板５０の裏面５２に貼付した第１のシール部材１１０で押圧される。
【００２４】
これにより、この後、天面板５０で筐体１００の上面を閉じれば、第３のシール部材１３０が天面板５０の裏面５２の第１のシール部材１１０で押圧され、第３のシール部材１３０によって隙間Ｇ３が閉塞される。なお、このとき、前記したガイド爪８４ａ，８４ｂも天面板５０の裏面５２の第１のシール部材１１０で押圧される。よって、背面板２０の空気吸込口２２から熱交換器８０の天面８１を経由して室内機の筐体１００の内部に至る外気の通路が完全に遮断される。
【００２５】
以上から本実施例によれば、天面板５０の周囲に発生する隙間Ｇ１を閉塞する第１のシール部材１１０、空気吸込口２２から熱交換器８０の天面８１を経由して筐体１００の内部に通じる隙間Ｇ２を閉塞する第２のシール部材１２０、および隙間Ｇ２のうちの第２のシール部材１２０で閉塞されなかった隙間Ｇ３を閉塞する第３のシール部材１３０によって、室内機の筐体１００の内部に外気が侵入することを防止することができ、冷房運転時に外気侵入に基づく結露の発生を防止できる。
【００２６】
なお、上記実施例では第３のシール部材１３０を背面板２０の裏面２４に貼付したが、左側面板３０の裏面に貼付して隙間Ｇ３を閉塞してもよい。
【００２７】
また、第２のシール部材１２０を熱交換器８０の天面８１に貼付する際に、その天面８１の右側面板４０の側の端部に第２のシール部材１２０の一端を揃えてから残りの部分を左側面板３０の方向に伸ばして貼付する際に発生する隙間Ｇ３を第３のシール部材１３０で閉塞する場合について説明したが、その熱交換器８０の天面８１の左側面板３０の側の端部に第２のシール部材１２０の一端を揃えてから残りの部分を右側面板４０の方向に伸ばして貼付する際に右側面板４０の側に隙間が発生するときも、同様に第３のシール部材１３０で閉塞することができる。このときも、第３のシール部材１３０を背面板２０の裏面に貼付する他に、右側面板４０の裏面に貼付してその隙間を閉塞してもよい。
【符号の説明】
【００２８】
１０：前面板、１１：フランジ、１２：空気吹出口、１３：吹出ダクト取付枠
２０：背面板、２１：フランジ、２２：空気吸込口、２２ａ：上端部、２３：吸込ダクト取付枠、２４：裏面
３０：左側面板、３１：フランジ
４０：右側面板、４１：フランジ
５０：天面板、５１：フランジ、５２：裏面
６０：底面板、６１：フランジ
７０：電装品箱
８０：熱交換器、８１：天面、８２：引出冷媒配管、８３：折返し冷媒配管、８４：熱交換器側板、８４ａ，８４ｂ：ガイド爪
９０：ファン装置
１００：筐体
１１０：第１のシール部材
１２０：第２のシール部材
１３０：第３のシール部材
Ｇ１，Ｇ２，Ｇ３：隙間
【図１】
0006428209.tif 000002
【図２】
0006428209.tif 000003
【図３】
0006428209.tif 000004
【図４】
0006428209.tif 000005
【図５】
0006428209.tif 000006
【図６】
0006428209.tif 000007
【図７】
0006428209.tif 000008